(57)【要約】【課題】  詰替え作業中に詰替え容器を持ち易い姿勢で把持して液体を確実に詰替えできるようにすることを目的とする。【解決手段】柔軟な袋本体一部を外方突出する中空突部として該突部先端に注出口を開口可能とし、かつ該中空突部内に内管を挿入してなる詰替え用袋状容器において、上記内管22に屈曲自在で該屈曲状態を保持することが可能な蛇腹部30を付形し、該蛇腹部を屈曲させて内管22と中空突部６とで形成する注出管20を傾斜させたときに、該傾斜状態を蛇腹部30の保形力で維持することが可能としている。【選択図】  図１
2005289468.tif 000002
【特許請求の範囲】
【請求項１】
肉薄で柔軟な容器体の一部を外方突出する中空突部として該突部先端に注出口を開口可能とし、かつ該中空突部内に内管を挿入してなる肉薄容器において、上記内管22に屈曲自在で該屈曲状態を保持することが可能な蛇腹部30を付形し、該蛇腹部を屈曲させて内管22と中空突部６とで形成する注出管20を傾斜させたときに、該傾斜状態を蛇腹部30の保形力で維持することが可能としたことを特徴とする、肉薄容器。
【請求項２】
上記蛇腹部30を除く内管22部分の外面の少なくとも一箇所を上記中空突部６の内面に溶着乃至接着することで該中空突部からの内管22の抜出しを防止したことを特徴とする、請求項１記載の肉薄容器。
【請求項３】
上記内管22の基端部を上記中空突部６の内面に溶着乃至接着することで、該中空突部先端開口から上記内管22の先端部分を引き出し可能としたことを特徴とする、請求項１又は請求項２記載の肉薄容器。
【請求項４】
上記容器体２を、同一形状の２枚のフィルムを重ね合わせるとともに両フィルムの縁部４を溶着して形成し、かつ該縁部のうち上記中空突部６の基部両側部分に該中空突部屈曲用の１対の切欠き12、12を設けたことを特徴とする、請求項１、請求項２、又は請求項３記載の肉薄容器。
【発明の詳細な説明】
【技術分野】
【０００１】
本発明は、肉薄容器、特に洗剤や食品、調味料などの詰替え用の肉薄容器に関する。
【背景技術】
【０００２】
この種容器として、従来から、２枚のシートを重ね合わせて形成した柔軟な袋状容器の周辺一部を短く外方突出して中空突部となし、該突起先端部の切断により注出口を開口するものが知られており（特許文献１）、又、液体注出を容易とするために、上記中空突部内に空隙形成用のパイプを挿入したものが知られている（特許文献２）。
【特許文献１】特開2002−337893号
【特許文献２】特開平09−024956号
【発明の開示】
【発明が解決しようとする課題】
【０００３】
特許文献１の肉薄容器は、その胴部を片手で把持するとともに柔軟な注出筒部（中空突部）を他の手で押さえて振れないようにするため、被詰替え容器を手で支えることができず、内容液をこぼしそうな不安感がある。他方、特許文献２の肉薄容器では、注出筒部のぶれは少ないが、注出口を下向きにするために肉薄容器を大きく傾けなければならず、持ち難い。
【０００４】
本発明は、詰替え作業中に詰替え容器を持ち易い姿勢で把持して液体を確実に詰替えできるようにするため、管状の中空突部内へ保形性を有する内管を挿入して注出管とした肉薄容器を提供することを目的とする。
【課題を解決するための手段】
【０００５】
第1の手段は、柔軟な容器体一部を外方突出する中空突部として該突部先端に注出口を開口可能とし、かつ該中空突部内に内管を挿入してなる肉薄容器において、上記内管22に屈曲自在で該屈曲状態を保持することが可能な蛇腹部30を付形し、該蛇腹部を屈曲させて内管22と中空突部６とで形成する注出管20を傾斜させたときに、該傾斜状態を蛇腹部30の保形力で維持することが可能としている。
【０００６】
第２の手段は、上記第1の手段を有し、かつ上記蛇腹部30を除く内管22部分の外面の少なくとも一箇所を上記中空突部６の内面に溶着乃至接着することで該中空突部からの内管22の抜出しを防止している。
【０００７】
第３の手段は、上記第1の手段又は第２の手段を有し、かつ上記内管22の基端部を上記中空突部６の内面に溶着乃至接着することで、該中空突部先端開口から上記内管22の先端部分を引き出し可能としている。
【０００８】
第４の手段は、上記第1の手段、第2の手段、又は第3の手段を有し、かつ上記容器体２を、同一形状の２枚のフィルムを重ね合わせるとともに両フィルムの縁部４を溶着して形成し、かつ該縁部のうち上記中空突部６の基部両側部分に該中空突部屈曲用の１対の切欠き12、12を設けている。
【発明の効果】
【０００９】
第1の手段に係る発明によれば、次の効果を奏する。
○蛇腹部30の保形力で注出管20の傾斜状態を保持するから、袋状容器を大きく傾けなくとも、該容器の傾きに注出管の傾きが加わって十分に液体の注出が可能であり、注出操作が容易となる。
○上記注出管20を手で支える必要がないから、片手で肉薄容器を、もう片方の手で被肉薄容器を確実に把持して詰め替え作業を行うことができ、内容液をこぼすことを防止できる。
○既存の袋状容器の中空突部内に蛇腹管を挿入しただけの構成であるから、構造が簡単であり、廉価に製造することができる。
【００１０】
第２の手段に係る発明によれば、蛇腹部30外面を上記中空突部６内面に溶着乃至接着したから、該中空突部内からの蛇腹管の飛出し及び脱落を防止できる。
【００１１】
第３の手段に係る発明によれば、蛇腹部30の先端部分を中空突部６内から引き出し可能としたから、注出管20が更に長くなり、使い勝手が良い。
【発明を実施するための最良の形態】
【００１２】
図１及び図２は、本発明の第1の実施形態に係る肉薄容器を示している。まず該容器の構成中公知の部分について説明する。
【００１３】
この肉薄容器は、容器体２と内管22とからなる。
【００１４】
容器体２は、同一形状の表裏２枚の柔軟な合成樹脂製フィルムを重ね合わせてこれら両フィルムの縁部４を溶着することで袋状に形成しており、この縁部の一部分を含む容器体２一部を外方突出して中空突部６としている。該中空突部は、上記表裏２枚のフィルム部分を継ぎ合せて形成しており、その継ぎ目である縁部４ａのうち、先端部両側に一対の切込み８，８を穿設して、これら切欠きに指で力を加えて中空突部６の先端部分10を切離可能に構成している。
【００１５】
内管22は、上記中空突部６内に嵌挿されており、これら中空突部６と内管22とで注出管20を形成している。
【００１６】
本発明においては、上記内管22の基端部24及び先端部26を、それぞれ上記中空突部６の内面に溶着28するとともに、これら基端部及び先端部を除く中間部分を蛇腹部30に形成している。該蛇腹部は、屈曲自在でありかつ該屈曲状態を保持することが可能な構造に形成する。該構造自体は、蛇腹付きストローなどで公知であり、要するに蛇腹を構成するそれぞれの山乃至谷部分が折れ曲がった状態と伸び切った状態との間で反転することが可能に形成すれば足りる。又、蛇腹部30の強度は、注出管20を折曲げて傾けたときに該傾斜状態を維持することができ、かつ液体注出の際に注出管20がぶれることのない強度とするものとする。
【００１７】
又、上記中空突部６の基端部両側の縁部分４ａには、それぞれ切欠き12,12を穿設して、中空突部６を容易に傾斜させることができるように設けている。
【００１８】
又、図示例では、表方向から見て、ほぼ長方形の容器体の上端部のやや後方寄りから下方へ長く伸びる窪み部14を設け、該窪み部の後方側に中空突部を形成しているが、容器体の形状は適宜変更することができる。
【００１９】
上記構成において、図１の状態から中空突部６の切込み８に力を入れて該中空突部の先端部10を切り取ると、注出口が開口される。この状態で注出管20の先端部を後方へ引っ張ると、注出管20は蛇腹部30の屈曲により図２に示す如く前方へ傾斜し、かつ該傾斜状態を蛇腹部の保形力で保持する。この状態で容器体２を把持して後方へ傾斜させると、上記注出管20の傾斜角度だけ容器体を傾ける角度が小さくなるので注出操作が簡単であり、又、もう一方の手で被詰替え容器を把持することができるので、該被詰替え容器を不意に倒したり、或いはその口頸部の外に液体をこぼすことを防止できる。
【００２０】
図３及び図４は、本発明の第２実施形態に係る肉薄容器を示している。本実施形態は、第1実施形態の容器における注出管20の構成を変更したものであり、これ以外の部分は第1実施形態の構造と同じなので、同一符号を付して説明を省略する。
【００２１】
本実施形態においては、既述内管22の先端部の溶着28を省略することで、注出操作の際に内管22の先端部26を摘んで外方へ引っ張ると、蛇腹部30の伸張により内管先端部26を外方へ引き出すことが可能に形成したものであり、これにより注出管20の長さを延長することが可能にしたものである。この場合、上記中空突部の縁部分４ａの切込み８，８を図３に示す如く内管22の先端面よりもやや基端（図面では下方）寄りに穿設して、中空突部の先端部10を除去したときに内管の先端部分が摘み代として注出口から露出するように構成すると良い。
【図面の簡単な説明】
【００２２】
【図１】本発明の第1の実施形態に係る肉薄容器の表面図である。
【図２】図１容器の作用説明図である。
【図３】本発明の第２の実施形態に係る肉薄容器の表面図である。
【図４】図３容器の作用説明図である。
【符号の説明】
【００２３】
２…容器体    ４…縁部  ４ａ…縁部分  ６…中空突部  ８…切込み  
10…中空突部先端部  12…切欠き  14…窪み部  
20…注出管  22…内管  24…基端部  26…先端部  28…溶着部  30…蛇腹部
【図１】
2005289468.tif 000003
【図２】
2005289468.tif 000004
【図３】
2005289468.tif 000005
【図４】
2005289468.tif 000006